(57)【特許請求の範囲】
【請求項１】
短冊状をなし、先端側中央から基部方向に向かってスリットが形成され、幅方向へのバネ性が付与しせしめられているパッド支持片が下端から後面に対して仰角を伴って斜め上方に向かって一体的に形成されている合成樹脂製のパッド本体と；ブロック状をなし、前方側の端面寄りには、前記パッド支持片をスライド自在に嵌装せしめる貫通孔が上下方向に形成されていると共に、基部側の端部はパッドボックスに挿入される挿入部となっており、該挿入部にはパッドボックスの対向した側壁間に渡された枢支軸が挿入される貫通孔が形成されている合成樹脂製のスライド部材；とから構成されていることを特徴とする遠近両用メガネ用の可変ノーズパッド。
【請求項２】
短冊状をなし、先端側中央から基部方向に向かってスリットが形成され、幅方向へのバネ性が付与しせしめられているパッド支持片が上端から後面に対して俯角を伴って斜め下方に向かって一体的に形成されている合成樹脂製のパッド本体と；ブロック状をなし、前方側の端面寄りには、前記パッド支持片をスライド自在に嵌装せしめる貫通孔が上下方向に形成されていると共に、基部側の端部はパッドボックスに挿入される挿入部となっており、該挿入部にはパッドボックスの対向した側壁間に渡された枢支軸が挿入される貫通孔が形成されている合成樹脂製のスライド部材；とから構成されていることを特徴とする遠近両用メガネ用の可変ノーズパッド。
【発明の詳細な説明】
【技術分野】
【０００１】
この発明はメガネの構成部品であるノーズパッド、詳しくは、メガネの保持位置を上下に変更可能な遠近両用メガネ用の可変ノーズパッドに関するものである。
【背景技術】
【０００２】
一つのレンズの内に凸レンズ領域と凹レンズ領域とが存在している所謂累進レンズを用いた遠近両用メガネは、中高年に多く利用されている。
【特許文献１】なし
【非特許文献１】なし
【発明の開示】
【発明が解決しようとする課題】
【０００３】
遠近両用メガネにおいては、一つのレンズの内に凸レンズ領域と凹レンズ領域とが併存しているので、使用の際にはメガネをずらしたり、逆に目の位置を変えたりしてそれぞれの領域を使い分ける必要があり、慣れないと眼精疲労を起こすこともあり、その使用にはある程度の慣れが必要であった。この為、メガネの保持部材であるノーズパッドに工夫を加え、メガネの保持位置を上下に変更できる様にした遠近両用メガネもいくつか提案されている。しかしながら、対向したノーズパッド間の間隔は、装用者の鼻幅に合わせる為、一般的に上方では狭く、下方では広く、つまり「ハ」の字形になる様に設定されているが、単にノーズパッドを上下にスライド自在にしたのでは、上げた時と下げた時とで、ノーズパッド間の間隔が変化してしまい、装用者の鼻幅に一致しなくなってしまう為、ノーズパッドの可変機構にはこの点についての配慮が必要である。しかし、従来提案されたものの多くは、構造が複雑に過ぎ、過大な製造コストを要するにかかわらず、位置の変換がスムーズに行えなかったり、既存のメガネフレームにそのまま取り付けることが出来ないものがほとんどであり、到底実用に耐え得るものではなかった。本発明は、遠近両用メガネの機能をより十分に発揮させるべく、研究を行った結果、簡単な構造ながらノーズパッド間の間隔を変えることなく、スムーズに上下に位置の変換可能で、しかも既存のメガネフレームのパッドボックスにそのまま装着出来る便利な可変ノーズパッドを開発することに成功し、本発明としてここに提案するものである。
【課題を解決するための手段】
【０００４】
短冊状をなし、先端側中央から基部方向に向かってスリットが形成され、幅方向へのバネ性が付与しせしめられているパッド支持片が下端から後面に対して仰角を伴って斜め上方に向かって一体的に形成されている合成樹脂製のパッド本体と；ブロック状をなし、前方側の端面寄りには、前記パッド支持片をスライド自在に嵌装せしめる貫通孔が上下方向に形成されていると共に、基部側の端部はパッドボックスに挿入される挿入部となっており、該挿入部にはパッドボックスの対向した側壁間に渡された枢支軸が挿入される貫通孔が形成されている合成樹脂製のスライド部材；とから遠近両用メガネ用の可変ノーズパッドを構成することにより、あるいは、短冊状をなし、先端側中央から基部方向に向かってスリットが形成され、幅方向へのバネ性が付与しせしめられているパッド支持片が上端から後面に対して俯角を伴って斜め下方に向かって一体的に形成されている合成樹脂製のパッド本体と；ブロック状をなし、前方側の端面寄りには、前記パッド支持片をスライド自在に嵌装せしめるスリット状貫通孔が上下方向に形成されていると共に、基部側の端部はパッドボックスに挿入される挿入部となっており、該挿入部にはパッドボックスの対向した側壁間に渡された枢支軸が挿入される貫通孔が形成されている合成樹脂製のスライド部材；とから遠近両用メガネ用の可変ノーズパッドを構成することにより上記課題を解決した。
【発明の効果】
【０００５】
パッド支持片が、ノーズパッド本体に対して仰角又は俯角を伴って斜めに取り付けられ
ているので、上下に移動させても、ノーズパッド本体間の上端の間隔、下端の間隔は常に一定であり、装用者の鼻に安定的に当接させることが出来る。又、スライド部材を枢支するパッドボックスは、従来のものと全く同じものであるので、既存のメガネフレームのパッドボックスに何らの改造を加えることなくそのまま取り付けることが可能であり、すぐれた互換性を有し、遠近両用メガネの利用可能性をより一層大きくする効果を有する。
【発明を実施するための最良の形態】
【０００６】
ノーズパッド本体の裏側にパッド支持片を仰角又は俯角を伴って斜めに取り付けると共に、既存のパッドボックスに枢支可能なスライド部材をパッド支持片にスライド自在に嵌装せしめた点に最大の特徴が存する。
【実施例１】
【０００７】
図１はこの発明に係る遠近両用メガネ用の可変ノーズパッドの一実施例の斜視図、図２はその側面図、図３は要部であるノーズパッド本体の裏面図、図４は同じく要部であるパッドボックスの斜視図である。
【０００８】
図中１はノーズパッド本体であり、合成樹脂を素材とし、長径と短径とからなる略楕円形をなし、表面側つまり前方へ向かってゆるく膨出している。そして、このノーズパッド本体１の下端後面からは、後方側へ仰角θ1を保って斜め上方に向かって短冊状をなした
パッド支持片２が一体的に形成されている。つまり、このパッド支持片２は片持ち式に支持されており、その先端は自由端となっている。又、このパッド支持片２の側縁９の先端側及び中央には、図３に示す様に、クリック感付与の為の突起１４及び１５がそれぞれ形成されている。更に、その先端側中央から基部方向に向ってスリット１３が形成されており、パッド支持片２に幅方向へのバネ性を付与している。
【０００９】
一方、図中３はスライド部材であり、合成樹脂を素材とし、ブロック状をなし、その前方側の端面１６寄りには、前記パッド支持片２をスライド自在に嵌装せしめる貫通孔４が上下方向に形成されていると共に基部側は、メガネフレームから延設されたパッドボックス５の内側空間に挿入される挿入部６となっており、該挿入部６には、パッドボックス５の対向した側壁１０，１０間に渡された枢支軸７が挿入される貫通孔８が形成されている。
【００１０】
そして、ノーズパッド本体１のパッド支持片２はスライド部材３の貫通孔４にスライド自在に嵌装されており、パッド支持片２の中央に形成されているスリット１３がパッド支持片２に幅方向へのバネ性を付与しているので、パッド支持片２は貫通孔４の側面に弾性的に接しており、突起１４，１５がストッパーとして作用し、パッド支持片２を上方位置、下方位置の２つのポジションで、選択的かつ安定的に停止する様になっている。
【００１１】
従って、遠近両用メガネの凹レンズ領域を用い様とするときは、スライド部材３を図６に実線で示す様に、パッド支持片２の下部側へ位置させ、メガネの保持位置を高くして凹レンズ領域を見やすくし、凸レンズ領域を用い様とするときには、反対にスライド部材３を図８において破線で示す様に、パッド支持片２の上部側へ移動し、メガネの保持位置を低くして凸レンズ領域を見やすくすれば良い。
【００１２】
そして、パッド支持片２は、ノーズパッド本体１に対して斜めに取り付けられているので、上下に移動させても、ノーズパッド本体１，１間の上端の間隔Ａ、下端の間隔Ｂは常に一定であり、装用者の鼻幅に安定的に当接させることが出来る。又、スライド部材３を枢支するパッドボックス５は、従来のものと同じもので良いので、既存のメガネフレームのパッドボックスに何らの改造を加えることなくそのまま取り付けることが可能であり、すぐれた互換性を有し、遠近両用メガネの利用可能性をより一層大きくする効果を有する
。
【実施例２】
【００１３】
図６はこの発明に係わる遠近両用メガネ用の可変ノーズパッドの実施例２の斜視図、図７はその側面図である。
【００１４】
図中１´はノーズパッド本体であり、合成樹脂を素材とし、長径と短径とからなる略楕円形をなし、表面側つまり前方へ向かってゆるく膨出している。そして、このノーズパッド本体１´の上端後面からは、後方側へ俯角θ2を保って斜め下方に向かって短冊状をな
したパッド支持片２´が一体的に形成されている。つまり、このパッド支持片２´は片持ち式に支持されており、その先端は自由端となっている。他の部分は前記実施例１と全く同一である為、同一符号を付して説明を省略する。
【００１５】
この実施例２において、遠近両用メガネの凹レンズ領域を用い様とするときは、スライド部材３をパッド支持片２´の下部側へ位置させ、メガネの保持位置を高くして凹レンズ領域を見やすくし、凸レンズ領域を用い様とするときには、反対にスライド部材３をパッド支持片２´の上部側へ移動し、メガネの保持位置を低くして凸レンズ領域を見やすくすれば良い。
【００１６】
そして、パッド支持片２´は、ノーズパッド本体１´に対して斜めに取り付けられているので、上下に移動させても、ノーズパッド本体１´，１´間の上端の間隔、下端の間隔は常に一定であり、装用者の鼻幅に安定的に当接させることが出来る。又、スライド部材３を枢支するパッドボックス５は、従来のものと同じもので良いので、既存のメガネフレームのパッドボックスに何らの改造を加えることなくそのまま取り付けることが可能であり、すぐれた互換性を有し、遠近両用メガネの利用可能性をより一層大きくする効果を有する。
【産業上の利用可能性】
【００１７】
メガネ産業の分野において利用可能である。
【図面の簡単な説明】
【００１８】
【図１】この発明に係る遠近両用メガネ用の可変ノーズパッドの実施例１の斜視図。
【図２】同じく、その側面図。
【図３】同じく、その要部であるノーズパッド本体の裏面図。
【図４】同じく、その要部であるスライド部材の斜視図。
【図５】ノーズパッド本体のスライド状態を模式的に描いた説明図。
【図６】この発明に係る遠近両用メガネ用の可変ノーズパッドの実施例２の斜視図。
【図７】同じく、その側面図。
【符号の説明】
【００１９】
１    ノーズパッド本体
２    パッド支持片
３    スライド部材
４    貫通孔
５    パッドボックス
６    挿入部
７    枢支軸
８    貫通孔
９    側縁
１０    側壁
１３    スリット
１４    突起
１５    突起
１６    前方側の端面
【図１】
0004833954.tif 000002
【図２】
0004833954.tif 000003
【図３】
0004833954.tif 000004
【図４】
0004833954.tif 000005
【図５】
0004833954.tif 000006
【図６】
0004833954.tif 000007
【図７】
0004833954.tif 000008